(57)【特許請求の範囲】
【請求項１】
段差のある床が隣接して設けられた住宅において、
上側の床の床下に第一の収納部が設けられ、上側の床と下側の床との間に設けられた壁部に、前記第一の収納部の取出口が設けられ、
前記上側の床の床下にはさらに第二の収納部が設けられ、
この第二の収納部の取出口は、前記下側の床と同高さ位置から立ち上がり、かつ、上側の床に交差する住宅の外壁を構成する壁部に設けられていることを特徴とする住宅。
【請求項２】
請求項１記載の住宅において、
前記収納部は、複数の引出を備え、これら引出が前記壁部から引出し可能であることを特徴とする住宅。
【請求項３】
請求項１または２に記載の住宅において、
前記上側の床には、前記収納部の別の取出口が設けられていることを特徴とする住宅。
【請求項４】
請求項１〜３のいずれかに記載の住宅において、
前記下側の床は、住宅の１階床レベルあるいは、２階以上のいずれかの階の床レベルと等しいことを特徴とする住宅。
【請求項５】
請求項１〜４のいずれかに記載の住宅において、
前記上側の床と下側の床との間に設けられた壁部は、上側の床より高く、かつ天井より低い位置まで突出しており、かつ下側の床と上側の床との間には階段が設けられていることを特徴とする住宅。
【発明の詳細な説明】
【０００１】
【発明の属する技術分野】
本発明は、床下収納部が備えられた住宅に関する。
【０００２】
【背景の技術】
従来から、食品や買い置きのビールや調味料、食用油等を収納するために台所等の床下に設けられた床下収納庫が知られている。周知のように、床下収納庫は、床面より下方に収納庫が設けられ、床面に設けられた開閉蓋から物品を出し入れするものである。
しかし、腰をかがめた姿勢で、ビールや調味料といった比較的重い物をしまうことから、物の出し入れが困難であった。
そこで、この課題を解決するために、例えば、特開平１１ー８９６４９号公報記載の技術では、床下収納庫を電動昇降式とし、床下収納庫の収納用本体ボックスを床面上に張り出させたり、床下に収納させたりすることで、物の出し入れを容易にしている。
【０００３】
【発明が解決しようとする課題】
ところで、上記床下収納庫は、物品の出し入れを床面に設けられた開閉蓋から行うことから、床下収納庫の上には物をおくことができなかった。そのため収納庫の容量も限られたものとなっていた。また、床下収納庫は、床下収納庫が設けられた部屋の床面からしか出し入れすることができなかった。
また、特開平１１ー８９６４９号公報記載の技術のように電動昇降式としても、床面から床下に物を出し入れするよりは容易であるが、依然として腰をかがめて動作を行わなければならず、結果として、収納できる物も限られてしまうという課題がある。
本発明の課題は、床下収納の収納容量を拡大するとともに、物の出し入れが容易な床下収納部を備えた住宅を提供することである。
【０００４】
【課題を解決するための手段】
上記目的を達成するために、請求項１記載の発明は、例えば図１および図２に示すように、段差のある床２、３が隣接して設けられた住宅１において、上側の床２の床下に第一の収納部４が設けられ、上側の床２と下側の床３との間に設けられた壁部６に、前記第一の収納部４の取出口４２が設けられ、
前記上側の床２の床下にはさらに第二の収納部５が設けられ、この第二の収納部５の取出口５１は、前記下側の床３と同高さ位置から立ち上がり、かつ、上側の床２に交差する住宅１の外壁を構成する壁部８に設けられていることを特徴とする。
【０００５】
ここで、前記収納部４には、引出４１を設けて前記取出口４２から引き出し可能としてもよいし、取出口４２に開閉式扉や引き戸等を設けてもよいし、前記収納部４の内部に棚を設けるなどしてもよい。また、取出口４２に設けた開閉式扉や引き戸等の開閉や引出４１の引出し等を電動式としてもよい。このように、前記収納部４を使い勝手のよいものに適宜設計してもよいことは勿論である。
また、前記収納部５には、引出を設けて前記取出口５１から引き出し可能としてもよいし、取出口５１に開閉式扉５２や引き戸等を設けてもよい。また、前記収納部５の内部に棚を設けるなどしてもよい。また、取出口５１に設けた開閉式扉５２や引き戸等の開閉や引出の引出し等を電動式としてもよい。このように、前記収納部５を使い勝手のよいものに適宜設計してもよいことは勿論である。
【０００６】
請求項１記載の発明によれば、段差のある床２、３を利用し、上側の床２の床下に第一の収納部４を設け、上側の床２と下側の床３との間に設けられた壁部６に前記第一の収納部４の取出口４２を設けている。このため、上側の床２の床下の空間を有効に活用でき、広い収納空間を実現することができる。また、前記壁部６に取出口４２を設けているので、従来のように、物を出し入れする際に腰をかがめて床下から床の上面に持ち上げるといったことがなく、収納が容易である。また、従来のように、床下収納庫の取出口が、床の上面にあると、取出口の上面には家具等の物を載置することはできなかった。しかし、本発明によれば、そのような制限はなく、例えば図１に示すように、床２の上面に家具等を自由に配置することができる。
【０００９】
また、段差のある床２、３を利用し、上側の床２の床下に第二の収納部５を設け、この第二の収納部５の取出口５１を住宅１の外壁を構成する壁部８に設けている。このため、上側の床２の床下の空間を有効に活用でき、広い収納空間を実現することができる。また、住宅１の外壁を構成する壁部８に設けられた前記取出口５１から、物を出し入れすることができるので、例えば、車に関する修理工具等、屋外で使用する各種道具等を収納することができる。このため、住宅１の敷地に物置を載置するスペースがなくても、このように屋外に収納するのが望ましいものを収納することができる。また、敷地内に物置が外に現れないので住宅１の外観を秀麗なものに仕上げることができる。
【００１０】
請求項２記載の発明は、請求項１記載の住宅１において、前記収納部４は、複数の引出４１を備え、これら引出４１が前記壁部６から引出し可能であることを特徴とする。
【００１１】
ここで、前記引出４１は、その開口部が前記引出４１の上面に設けられたものであってもよいし、開口部が前記引出４１の側面に設けられてもよい。また、前記引出４１はその内部に棚板が設けられた棚状の引出４１であってもよい。
【００１２】
請求項２記載の発明によれば、前記収納部４は複数の引出４１を備え、前記壁部６から前記引出４１が引出し可能であるので、物の出し入れが容易である。また、重い物を収納したとしても、腰をかがめて物を出し入れする必要がない。このため、前記収納部４には様々なものを収納することができ、収納空間を有効に活用することができる。
【００１３】
請求項３記載の発明は、例えば図１に示すように、請求項１または２に記載の住宅１において、前記上側の床２には、前記収納部４の別の取出口４３が設けられていることを特徴とする。
【００１４】
請求項３記載の発明によれば、前記上側の床２に、前記収納部４の別の取出口４３が設けられているので、前記壁部６に設けられた前記取出口４２から前記収納部４に物を出し入れできるとともに、前記上側の床２からも物を出し入れすることができる。
【００１５】
請求項４記載の発明は、例えば、図１〜図４に示すように、請求項１〜３のいずれかに記載の住宅１において、前記下側の床３は、住宅１の１階床レベルあるいは、２階以上のいずれかの階の床レベルと等しいことを特徴とする。
【００１６】
請求項４記載の発明によれば、前記下側の床３が、住宅１の１階床レベルあるいは２階以上のいずれかの階の床レベルとなっている。このため、前記収納部５の取出口５１を、住宅１の外壁を構成する壁部８に設けた時に、前記下側の床３が住宅１の１階床レベルと等しい場合には、地上から前記収納部５に物を出し入れすることができる。また、前記下側の床３が住宅１の２階以上のいずれかの床レベルと等しい場合には、ベランダ等から前記収納部５に物を出し入れすることができる。このようにして、収納部５を住宅１の外側から有効に活用することができる。
【００１７】
請求項５記載の発明は、例えば、図４に示すように、請求項１〜４のいずれかに記載の住宅１において、前記上側の床２と下側の床３との間に設けられた壁部６（手摺り６１）は、上側の床２より高く、かつ天井より低い位置まで突出しており、かつ下側の床３と上側の床２との間には階段７が設けられていることを特徴とする。
【００１８】
請求項５記載の発明によれば、前記上側の床２と下側の床３との間に設けられた壁部６（手摺り６１）は、上側の床２より高く、かつ天井より低い位置まで突出しているので、上側の床２を備える空間と、下側の床３を備える空間とが、一体感を持ちつつ、異なる空間を演出することができ、住宅１の間取りに変化を与えることができる。また、下側の床３と上側の床２との間に階段７が設けられているので、下側の床３を備える空間と上側の床２を備える空間との出入りが自在である。また、上側の床２の床下を利用した広い収納部４、５を備えているので、居室内の空間を有効に利用することができる。
【００１９】
【発明の実施の形態】
以下、図面を参照して本発明にかかる住宅１の実施の形態を詳細に説明する。
前記住宅１は、パネル工法により構築されるものである。周知のように、パネル工法とは、壁や床、屋根といった構成要素を予め工場にてパネル化しておき、住宅の施工現場でこれらのパネルを組み立てる工法のことで、住宅の施工工法の一つである。そして、住宅１の床面を構成する床パネルは、縦横の框材を矩形状に組み立てるとともに、矩形枠の内部に補助桟材を縦横に組み付け、框材と補助桟材との片面に面材が貼り付けられたものである。また、住宅１の壁面を構成する壁パネルは、床パネルと同様に構成された框材と補助桟材との両面に面材が貼り付けられたものである。また、住宅１の外壁は、同様に構成された前記壁パネルの表面に外装材を備えたものである。
【００２０】
前記住宅１の１階には、図１に示すように、台所ＡとリビングルームＢが隣接して設けられている。前記リビングルームＢの床３は、地面から５４０ｍｍの高さに位置しており、前記台所Ａの床２は地面から１５００ｍｍの高さに位置している。このため、前記台所Ａの床２と前記リビングルームＢの床３には、９６０ｍｍの段差Ｔがある。
【００２１】
また、前記台所Ａの床２と前記リビングルーム３の床との間には、壁部６と階段７とが設けられている。そして、壁部６には、図４に示すように、腰高の手摺り６１が台所Ａの床２の上面から突出するように設けられている。
【００２２】
図１〜図４に示すように、前記台所Ａの床２の床下には第一の収納部４と第二の収納部５とが設けられている。
前記第一の収納部４は、下面にキャスターが取り付けられた複数の引出４１を備えている。前記引出４１は、箱状の形状をしており、上面が開口したものとなっている。
また、図４に示すように、前記引出４１の取出口４２は前記壁部６に設けられており、前記引出４１を前記リビングルームＢから引出すことができるようになっている。
【００２３】
また、前記第一の収納部４の上面、つまり台所Ａの床２の床面には、前記第一の収納部４の別の取出口４３が設けられている。この別の取出口４３は、開閉蓋となっていて、前記別の取出口４３を開閉して、前記第一の収納部４に収納された物を出し入れすることができるようになっている。
そして、台所Ａの床２には、流し台Ｃの近傍に従来のいわゆる床下収納庫Ｄが設けられている（図１および図３参照）。また、前記第一の収納部４の上には、ダイニングテーブルＥ等が載置されている。
【００２４】
また、図３に示すように、前記第二の収納部５の取出口５１は、前記台所Ａの床２と交差する住宅１の外壁を構成する壁部８に設けられている。
前記取出口５１には、開閉式扉５２が備えられており、住宅１の外側から前記開閉式扉５２を開閉し、前記収納部５に物を収納することができるようになっている。
また、前記第二の収納部５の内部には、作りつけの棚（図示略）が備えられている。
なお、本実施の形態では、前記第二の収納部５の取出口５１が備えられた前記壁部８の外側は駐車スペースとして使用されており、第二の収納部５の上、つまり台所Ａの床２には、食器棚Ｆが載置されている（図１参照）。
【００２５】
本実施の形態によれば、台所Ａの床２とリビングルームＢの床３との段差Ｔを利用して、台所Ａの床２の床下に収納部４、５を設けている。このため、台所Ａの床２の床下の空間を有効に活用でき、広い収納空間を実現することができる。
また、前記第一の収納部４は複数の引出４１を備えており、その取出口４２は前記壁部６に設けられている。このため、従来のように腰をかがめて、床面から物を出し入れしなければならないといったことがない。また、大きな物や重い物であっても引出４１はキャスターを備えているので、物の出し入れが容易になり、前記第一の収納部４の収納スペースを有効に活用することができる。
【００２６】
また、第一の収納部４は、リビングルームＢから物を出し入れできるので、居室内で利用するものを収納することができる。また、第一の収納部４には、別の取出口４３が台所Ａの床２に設けられているので、台所Ａからも第一の収納部４に物を出し入れすることができる。
【００２７】
また、前記第二の収納部５の取出口５１は住宅の外壁を構成する前記壁部８に設けられている。このため、物を出し入れする際に、腰をかがめて、床下から床面まで物を持ち上げるといった動作がないので、収納するのが容易である。また、前記第二の収納部５の内部には、作りつけの棚が設けられているので、収納スペースを有効に活用することができる。
【００２８】
また、前記第二の収納部５は、住宅１の外壁を構成する前記壁部８に設けられた前記取出口５１から、物を出し入れすることができる。このため、例えば、車に関する修理工具等、屋外で使用する各種道具等を収納することができる。従って、住宅１の敷地に物置を載置するスペースがなくても、このように屋外に収納するのが望ましいものを収納することができ、また住宅１の敷地内に物置が外に現れないので、住宅１の外観を秀麗なものに仕上げることができる。
【００２９】
また、床下に設けられた前記収納部４、５の取出口４２、５１が、従来の床下収納庫Ｄのように台所Ａの床２の上面にあると、その上面には家具等の物を載置することはできなかった。しかし、本実施の形態によれば、そのような制限はなく、床２の上面に家具等を自由に配置することができる。
【００３０】
また、前記リビングルームＢの床３は、住宅１の１階床レベルとなっている。このため、前記第二の収納部５は、地上から前記取出口５１に設けた開閉式扉５２を開閉して、物を出し入れすることができる。また、前記収納部５の中に棚が設けられているので、前記収納部５を有効に活用することができる。また、収納部５の高さと前記段差Ｔとは等しく、９４０ｍｍあるので、収納部５の内部まで人間が入ることができ、収納に便利である。
【００３１】
また、前記台所Ａの床２とリビングルームＢの床３との間に設けられた壁部６は、その上面に腰高まで突出した手摺り６１が設けられているので、台所Ａの床２を備える空間と、リビングルームＢの床３を備える空間とが、一体感を持ちつつ、異なる空間を演出することができる。このようにすることで、食事をする空間と、リビングルームＢでリラックスする空間とを適度に独立させることができ、住宅１の間取りに変化を与えることができる。
【００３２】
また、リビングルームＢの床３と台所Ａの床２との間に階段７が設けられているので、リビングルームＢの床３を備える空間と台所Ａの床２を備える空間との出入りが自在である。また、台所Ａの床２の床下を利用した広い収納部４を備えているので、リビングルームＢに余分な収納家具を置く必要がなく、空間を有効に利用することができる。
【００３３】
また、例えば、都市部などにおける限られた敷地内で建てられた住宅においては、押入、納戸等を住宅１に設けると、住宅１の収納スペースを増加させることはできるが、代わりに住宅１における居室の面積が削られることになる。しかし、段差Ｔのある台所Ａの床２とリビングルームＢの床３を利用し、台所Ａの床２の床下を収納部４、５とすると、前記収納部４、５は床面積に算入されない。従って、居室面積を削ることなく広い収納空間を備えた住宅１を実現することができる。
また、台所Ａの天井高を通常の高さとすると、結果として、リビングルームＢの天井の高さが前記段差Ｔ分だけ高くなるので、リビングルームＢの空間体積を広くすることができ、開放感のある居室とすることができる。
【００３４】
なお、本発明は上記実施の形態に限定されるものではなく、本発明の主旨を逸脱しない範囲において、適宜変更可能であることは勿論である。
例えば、本実施の形態においては、第一の収納部４と第二の収納部５とを設けているが、第一の収納部４だけでもよいし、第二の収納部５だけでもよい。また、第一の収納部４および第二の収納部５の設置個所は、本実施の形態に限定されるものではない。
【００３５】
また、本実施の形態では、第一の収納部４に別の取出口４３を設けたが、設けないものとしてもよい。また、第二の収納部５の取出口を住宅の外壁を構成する壁部８に設けた前記取出口５１とは別に、台所Ａの床２に別の取出口を設けてもよいものである。
【００３６】
また、前記第一の収納部４は複数の引出４１を備えるものとしたが、第一の収納部４の取出口４２を開閉式扉として、引出４１を備えないものとしてもよい。また、引出４１の形状はどのようなものであってもよく、棚状の引出４１としてもよい。適宜、使い勝手のよいように設計してよいものである。また、特に扉等を設けなくてもよい。
同様に、前記第二の収納部５の取出口５１は開閉式扉５２を備え、引出を備えないものとしたが、これに限るものではない。前記第一の収納部４と同様に複数の引出を備えるものとしてもよい。また、開閉式扉５２に限定するものではなく、引き戸等であってもよい。また、収納部５の内部に作りつけの棚を備えなくてもよい。
また、これらの収納部４、５に引出４１や開閉式扉５２等を備えるものとした場合に、引出４１の引出しや、開閉式扉５２の開閉等を電動式としてもよいのは勿論である。
【００３７】
また、本実施の形態では、台所Ａの床２とリビングルームＢの床３とが隣接し、段差のあるものとしたが、隣接して段差を設ける床は、台所Ａの床２とリビングルームＢの床３とに限ったものではない。例えば、隣り合う２つの子供部屋に適用してもよく、どのような用途として用いられてもよいものである。
【００３８】
また、本実施の形態では、リビングルームＢの床３（下側の床）の高さを地面から５４０ｍｍとし、リビングルームＢの床の高さを住宅１の１階床レベルとしたが、これに限定されるものではない。下側の床は、例えば２以上のいずれかの階の床レベルと等しいものであってもよい。
また、本実施の形態では、台所Ａの床２の高さを地面から１５００ｍｍとし、台所Ａの床２とリビングルームＢの床３との段差Ｔを９６０ｍｍとしたが、これに限定されるものではなく、段差Ｔは同一階内に収まる高さであればどのようなものでもよい。但し、段差が１．４ｍ以上となると居室面積に算入される可能性があるので、段差Ｔは１．４ｍ以内にすると建築上有利である。
【００３９】
また、本実施の形態では、手摺り６１を台所Ａの床２から腰高のものとしたが、この高さに限定されるものではない。また、前記手摺り６１に限定されるものでもなく、前記壁部６を台所Ａの床２より高く、かつ台所Ａの天井より低い位置まで突出させてもよい。
さらに、前記台所Ａと前記リビングルームＢとを前記壁部６によって、完全に仕切ってもよい。
【００４０】
また、台所Ａの床２とリビングルームＢの床３との間に階段７を設けたが、この階段の下を階段下収納としてもよいのは当然である。
【００４１】
また、本実施の形態の住宅１は、パネル工法により構築される住宅１としたが、これに限定されるものではなく、木造在来工法やツーバイフォー工法や鉄骨系プレハブ工法、コンクリート系プレハブ工法などにより構築される住宅１に適用してもよいものである。
【００４２】
【発明の効果】
請求項１記載の発明によれば、段差のある床を利用し、上側の床の床下に第一の収納部を設け、上側の床と下側との床との間に設けられた壁部に前記第一の収納部の取出口を設けている。このため、上側の床の床下の空間を有効に活用でき、広い収納空間を実現することができる。前記壁部に取出口を設けているので、物を出し入れするのが容易である。また、従来のように、床下収納庫の取出口が床面にあると、取出口の上面には家具等の物を載置することはできなかった。しかし、本発明によれば、そのような制限はなく、床下収納部が設けられた床の上面に家具等を自由に配置することができる。
【００４３】
また、段差のある床を利用し、上側の床の床下に第二の収納部を設け、この第二の収納部の取出口を住宅の外壁を構成する前記壁部に設けている。このため、上側の床の床下の空間を有効に活用でき、広い収納空間を実現することができる。また、住宅の外壁を構成する前記壁部に設けられた前記取出口から、物を出し入れすることができるので、例えば、車に関する修理工具等、屋外で使用する各種道具等を収納することができる。従って、住宅の敷地に物置を載置するスペースがなくても、このように屋外に収納するのが望ましいものを収納することができる。また、敷地内に物置が外に現れないので住宅の外観を秀麗なものに仕上げることができる。
【００４４】
請求項２記載の発明によれば、請求項１と同様の効果が得られるのは勿論のこと、前記収納部は複数の引出を備え、前記壁部から前記引出が引出し可能であることから、重い物を収納したとしても、物を出し入れするのが容易である。また、腰をかがめて前記収納部に物を出し入れする必要がない。このため、前記収納部には様々なものを収納することができ、収納空間を有効に活用することができる。
【００４５】
請求項３記載の発明によれば、請求項１または２と同様の効果が得られるのは勿論のこと、前記上側の床に、前記収納部の別の取出口が設けられている。このため、前記壁部に設けられた前記取出口から物を出し入れできるとともに、前記部屋の上側の床からも物を出し入れすることができる。
【００４６】
請求項４記載の発明によれば、前記下側の床が、住宅の１階床レベルあるいは２階以上のいずれかの階の床レベルとなっている。このため、前記収納部の取出口を、住宅の外壁を構成する壁部に設けた時に、前記下側の床が住宅の１階床レベルと等しい場合には、地上から前記収納部に物を出し入れすることができる。また、前記下側の床が住宅の２階以上のいずれかの床レベルと等しい場合には、ベランダ等から前記収納部に物を出し入れすることができる。このようにして、収納部を有効に活用することができる。
【００４７】
請求項５記載の発明によれば、請求項１〜４のいずれかと同様の効果が得られるのは勿論のこと、前記上側の床と下側の床との間に設けられた壁部は、上側の床より高く、かつ天井より低い位置まで突出しているので、上側の床を備える空間と、下側の床を備える空間とが、一体感を持ちつつ、異なる空間を演出することができ、住宅の間取りに変化を与えることができる。また、下側の床と上側の床との間に階段が設けられているので、下側の床を備える空間と上側の床を備える空間との出入りが自在である。また、上側の床下を利用した広い収納部を備えているので、居室内の空間を有効に利用することができる。
【図面の簡単な説明】
【図１】本発明にかかる住宅の間取りの一例を示す平面図である。
【図２】図１におけるａ−ａ”矢視縦断面図である。
【図３】図１におけるｂ−ｂ”矢視縦断面図である。
【図４】図１のｃ−ｃ”矢視側面図である。
【符号の説明】
１    住宅
２    上側の床（台所の床）
３    下側の床（リビングルームの床）
４    （第一の）収納部
４１  （第一の収納部の）引出
４２  （第一の収納部の）取出口
４３  （第一の収納部の）別の取出口
５    （第二の）収納部
５１  （第二の収納部の）取出口
６    （上側の床と下側の床との間に設けられた）壁部
７    階段
８    （住宅の外壁を構成する）壁部
【図１】
0004824878.tif 000002
【図２】
0004824878.tif 000003
【図３】
0004824878.tif 000004
【図４】
0004824878.tif 000005